(57)【要約】【課題】複数の蓄電池からなる組電池を用いて負荷への給電を停止させることなく蓄電池の状態管理等を行って劣化を抑制することが可能な蓄電池の運用管理方法及び運用管理装置を提供する。【解決手段】管理制御部１５０は、組電池１１０の各電池列１１１の状態量を算出するとともに劣化診断を行うことで、ＵＰＳ運用する電池列１１１とＰＳＯＣ運用する電池列１１１を判定している。また、電池列１１１がＰＳＯＣ運用のみで長時間運用されることのないように、ＰＳＯＣ運用とＵＰＳ運用とを所定期間毎に切り替えるようにしている。【選択図】図１
2013239328.tif 000002
【特許請求の範囲】
【請求項１】
受電するのみの第１の運用形態で運用される負荷と受電と発電を行う第２の運用形態で運用される負荷とからなる負荷群に対し、１以上の蓄電池を直列接続して構成された電池列を２以上並列配置した組電池を用いて給電と受電を行う蓄電池の運用管理方法であって、
前記電池列のそれぞれの少なくとも充電量を含む状態量を入力し、
前記充電量が第１しきい値より高い満充電状態で運用する第１の電力供給種別の電池列と前記充電量が前記第１しきい値以下でかつ第２しきい値より高い部分充電状態で運用する第２の電力供給種別の電池列とを前記組電池から選択し、
前記第１の電力供給種別の電池列に充電電流を供給し、
さらに、前記第１の運用形態の負荷と前記第１の電力供給種別の電池列とを接続し前記第２の運用形態の負荷と前記第２の電力供給種別の電池列とを接続する
ことを特徴とする蓄電池の運用管理方法。
【請求項２】
前記第２の電力供給種別で所定期間以上運用された電池列は、前記第１の電力供給種別に切り替えて運用される
ことを特徴とする請求項１に記載の蓄電池の運用管理方法。
【請求項３】
１つの前記負荷に２以上の前記電池列を接続するときは、前記充電量が実質的に等しい前記電池列を選択して接続する
ことを特徴とする請求項１または２に記載の蓄電池の運用管理方法。
【請求項４】
前記負荷のいずれにも接続されない未接続の前記電池列が存在するとき、前記第１の電力供給種別の電池列または前記第２の電力供給種別の電池列のいずれか１つを選択して接続先の前記負荷の接続先を前記未接続の電池列に切り替え、前記選択された電池列を未接続にして劣化診断を行う
ことを特徴とする請求項１乃至３のいずれか１項に記載の蓄電池の運用管理方法。
【請求項５】
前記劣化診断では、充電終了後の所定期間の開放端電圧を積算した電圧積算値と劣化量との関係を参照データとしてあらかじめ作成しておき、前記選択された電池列の充電終了後の前記開放端電圧の測定値から前記電圧積算値を算出し、前記算出された電圧積算値と前記参照データとから前記劣化量を算出する
ことを特徴とする請求項４に記載の蓄電池の運用管理方法。
【請求項６】
受電するのみの第１の運用形態で運用される負荷と受電と発電を行う第２の運用形態で運用される負荷とからなる負荷群に対し、１以上の蓄電池を直列接続して構成された電池列を２以上並列配置した組電池を備えて給電と受電を行う蓄電池の運用管理装置であって、
前記電池列のそれぞれに設けられて充電電流を入／切する充電スイッチと、
前記電池列のそれぞれに設けられて前記第１の運用形態の負荷及び前記第２の運用形態の負荷への給電電流及び前記第２の運用形態の負荷からの充電電流を入／切する充放電スイッチと、
前記充電スイッチを制御して所定の充電用電源から受電した前記充電電流を入／切させる充電部と、
前記第１の運用形態の負荷及び前記第２の運用形態の負荷のそれぞれに設けられ、前記充放電スイッチを制御して前記電池列のそれぞれとの接続を開閉させる充放電部と、
前記電池列のそれぞれの少なくとも充電量を含む状態量を検知する状態検知部と、
前記状態検知部から前記電池列のそれぞれの前記状態量を入力し、前記充電量が第１しきい値より高い満充電状態で運用する第１の電力供給種別の電池列と前記充電量が前記第１しきい値以下でかつ第２しきい値より高い部分充電状態で運用する第２の電力供給種別の電池列とを前記組電池から選択し、前記第１の電力供給種別の電池列に前記充電電流を供給するように前記充電部を制御し、さらに、前記第１の運用形態の負荷と前記第１の電力供給種別の電池列とを接続し前記第２の運用形態の負荷と前記第２の電力供給種別の電池列とを接続するように前記充放電部を制御する管理制御部と、を備える
ことを特徴とする蓄電池の運用管理装置。
【発明の詳細な説明】
【技術分野】
【０００１】
本発明は、蓄電池の運用管理方法及び運用管理装置に関し、特に２以上の蓄電池を備えた組電池の運用管理を行うための蓄電池の運用管理方法及び運用管理装置に関するものである。
【背景技術】
【０００２】
近年は、自然エネルギーの利用に対するニーズが高まっており、その利用がますます増大することが予想されている。自然エネルギーを用いた発電では、発電量が不安定になることから、これを平準化して安定した電力供給を可能にする電源システムが求められている。このような電源システムでは、自然エネルギーによる発電量を平準化するために蓄電池が用いられる。蓄電池を用いることで、発電量に余剰が生じたときは蓄電池に充電しておき、発電量が不足するときに蓄電池から放電させることができる。
【０００３】
上記のように、発電量に余剰が生じるときに充電し、発電量が不足するときに放電できるようにするには、蓄電池を常に充電も放電も可能な部分充電状態にしておく必要がある。蓄電池を好適な部分充電状態に維持するためには、蓄電池の充電容量（ＳＯＣ）等を管理してこれを適切に運用する運用管理装置が必要となる。
【０００４】
蓄電池として鉛蓄電池を用いた場合、放電により極板表面に硫酸鉛が生成される。この放電状態を長時間継続すると、硫酸鉛の結晶が肥大化し、次に充電を行なっても硫酸鉛が還元せずに電池の充放電特性が劣化してしまう、といった課題がある。そのため、例えば一時的に蓄電池を満充電とすることで、生成した硫酸鉛を還元して充放電特性を回復させる方法がとられる。この場合、一時的に部分充電状態を停止させる、すなわち電源システムを一時的に停止させる必要が生じる。その結果、電源システムの稼働率が低下するとともに、エネルギーの利用効率も低下させてしまう。
【０００５】
また、蓄電池の充電容量を管理するには、現在の充電容量を検知する手段が必要となる。しかしながら、鉛蓄電池内の反応が複雑なため、例えば蓄電池の電圧から充電容量を推定する方法では、推定値の誤差が大きいといった問題がある。また、充放電電流を常に積算していくことで充電容量を算出することができるが、この方法では時間とともに誤差が大きくなってしまう。そのため、例えば定期的に蓄電池を満充電（ＳＯＣ＝１００％）または完全放電（ＳＯＣ＝０％）にし、その状態から再び充放電電流を積算していく必要がある。そのため、ここでも電源システムの稼働率を低下させるとともに、エネルギーの利用効率を低下させてしまう。
【０００６】
蓄電池は、充放電を繰り返すと劣化が進んで満充電容量が減少する。満充電容量の劣化を検知する方法として、例えば蓄電池のインピーダンスを測定し、これから満充電容量を求める方法が知られている。また、蓄電池を満充電にし、これから全充電量を放電させることで満充電容量を直接測定する方法もある。しかしながら、何れの方法でも蓄電池を一時的に満充電にする必要があり、電源システムの稼働率を低下させるとともに、エネルギーの利用効率も低下させてしまう。
【０００７】
そこで、複数の蓄電池を備えて充放電を制御するようにした電源システムの技術が知られている。特許文献１には、放電後の蓄電量が少ない程充電能力が高い特性を有する追い充電可能な２つの蓄電池Ａ、Ｂを備え、２つの蓄電池Ａ、Ｂを蓄電池切替手段で順次切り替えることで効率の良い充電制御を行う蓄電池の充電制御装置及び制御方法が記載されている。
【０００８】
また、特許文献２には、複数の電池からなる組電池の過放電および劣化を抑制し、かつ、給電動作の停止状態からの復帰を可能にした電源システムが記載されている。ここでは、負荷への給電を停止したのちも制御部に給電し続けることで過放電となるのを防止するための技術が開示されている。
【先行技術文献】
【特許文献】
【０００９】
【特許文献１】特開２００６−１３６１５０号公報
【特許文献２】特開２００８−２１１９３５号公報
【発明の概要】
【発明が解決しようとする課題】
【００１０】
しかしながら、特許文献１では、蓄電池を満充電にして劣化を抑制するための技術が開示されていない。そのため、部分充電の状態で長期間使用されて劣化が進んでしまうおそれがある。また、特許文献２では、組電池からの放電を停止／再開させる技術が開示されているが、組電池内部の電池列の制御については何ら記載されていない。特許文献１、２のいずれも、複数の蓄電池からなる組電池を用いて負荷への給電を停止させることなく蓄電池の劣化を抑制することはできない。
【００１１】
そこで、本発明はこれらの問題を解決するためになされたものであり、複数の蓄電池からなる組電池を用いて負荷への給電を停止させることなく蓄電池の状態管理等を行って劣化を抑制することが可能な蓄電池の運用管理方法及び運用管理装置を提供することを目的とする。
【課題を解決するための手段】
【００１２】
本発明の蓄電池の運用管理方法の第１の態様は、受電するのみの第１の運用形態で運用される負荷と受電と発電を行う第２の運用形態で運用される負荷とからなる負荷群に対し、１以上の蓄電池を直列接続して構成された電池列を２以上並列配置した組電池を用いて給電と受電を行う蓄電池の運用管理方法であって、前記電池列のそれぞれの少なくとも充電量を含む状態量を入力し、前記充電量が第１しきい値より高い満充電状態で運用する第１の電力供給種別の電池列と前記充電量が前記第１しきい値以下でかつ第２しきい値より高い部分充電状態で運用する第２の電力供給種別の電池列とを前記組電池から選択し、前記第１の電力供給種別の電池列に充電電流を供給し、さらに、前記第１の運用形態の負荷と前記第１の電力供給種別の電池列とを接続し前記第２の運用形態の負荷と前記第２の電力供給種別の電池列とを接続することを特徴とする。
【００１３】
本発明の蓄電池の運用管理方法の他の態様は、前記第２の電力供給種別で所定期間以上運用された電池列は、前記第１の電力供給種別に切り替えて運用されることを特徴とする。
【００１４】
本発明の蓄電池の運用管理方法の他の態様は、１つの前記負荷に２以上の前記電池列を接続するときは、前記充電量が実質的に等しい前記電池列を選択して接続することを特徴とする。
【００１５】
本発明の蓄電池の運用管理方法の他の態様は、前記負荷のいずれにも接続されない未接続の前記電池列が存在するとき、前記第１の電力供給種別の電池列または前記第２の電力供給種別の電池列のいずれか１つを選択して接続先の前記負荷の接続先を前記未接続の電池列に切り替え、前記選択された電池列を未接続にして劣化診断を行うことを特徴とする。
【００１６】
本発明の蓄電池の運用管理方法の他の態様は、前記劣化診断では、充電終了後の所定期間の開放端電圧を積算した電圧積算値と劣化量との関係を参照データとしてあらかじめ作成しておき、前記選択された電池列の充電終了後の前記開放端電圧の測定値から前記電圧積算値を算出し、前記算出された電圧積算値と前記参照データとから前記劣化量を算出することを特徴とする。
【００１７】
本発明の蓄電池の運用管理装置の第１の態様は、受電するのみの第１の運用形態で運用される負荷と受電と発電を行う第２の運用形態で運用される負荷とからなる負荷群に対し、１以上の蓄電池を直列接続して構成された電池列を２以上並列配置した組電池を備えて給電と受電を行う蓄電池の運用管理装置であって、前記電池列のそれぞれに設けられて充電電流を入／切する充電スイッチと、前記電池列のそれぞれに設けられて前記第１の運用形態の負荷及び前記第２の運用形態の負荷への給電電流及び前記第２の運用形態の負荷からの充電電流を入／切する充放電スイッチと、前記充電スイッチを制御して所定の充電用電源から受電した前記充電電流を入／切させる充電部と、前記第１の運用形態の負荷及び前記第２の運用形態の負荷のそれぞれに設けられ、前記充放電スイッチを制御して前記電池列のそれぞれとの接続を開閉させる充放電部と、前記電池列のそれぞれの少なくとも充電量を含む状態量を検知する状態検知部と、前記状態検知部から前記電池列のそれぞれの前記状態量を入力し、前記充電量が第１しきい値より高い満充電状態で運用する第１の電力供給種別の電池列と前記充電量が前記第１しきい値以下でかつ第２しきい値より高い部分充電状態で運用する第２の電力供給種別の電池列とを前記組電池から選択し、前記第１の電力供給種別の電池列に前記充電電流を供給するように前記充電部を制御し、さらに、前記第１の運用形態の負荷と前記第１の電力供給種別の電池列とを接続し前記第２の運用形態の負荷と前記第２の電力供給種別の電池列とを接続するように前記充放電部を制御する管理制御部と、を備えることを特徴とする。
【発明の効果】
【００１８】
本発明によれば、複数の蓄電池からなる組電池を用いて負荷への給電を停止させることなく蓄電池の状態管理等を行って劣化を抑制することが可能な蓄電池の運用管理方法及び運用管理装置を提供することが可能となる。
【図面の簡単な説明】
【００１９】
【図１】本発明の第１実施形態の蓄電池の運用管理装置の構成を示すブロック図である。
【図２】複数個の蓄電池を直列に接続して構成された組電池の概略構成図である。
【図３】蓄電池のＣＯＡ、ＣＯＤ、及び劣化度を模式的に示す説明図である。
【図４】蓄電池の充電時の電圧とＣＯＡ及びＣＯＤとの関係の一例を示すグラフである。
【図５】充電終了後の所定期間の開放端電圧を積算した電圧積算値と劣化量との関係の一例を示すグラフである。
【図６】第１実施形態の蓄電池の運用管理方法の処理の流れを示すフローチャートである。
【図７】電池列毎の電力供給種別を選択する処理の流れを示すフローチャートである。
【図８】運用期間長さにより運用方式を変更するための処理の流れを示すフローチャートである。
【図９】負荷の個数を４とし、電池列の個数を３としたときの第１実施形態の運用管理装置の構成例を示すブロック図である。
【図１０】２つの電池列が充電部に接続されて充電／放電される一例を示す説明図である。
【図１１】本発明の第２実施形態の蓄電池の運用管理装置の構成例を示すブロック図である。
【図１２】第２実施形態の蓄電池の運用管理方法の処理の流れを示すフローチャートである。
【発明を実施するための形態】
【００２０】
本発明の好ましい実施の形態における蓄電池の運用管理方法及び運用管理装置について、図面を参照して詳細に説明する。なお、同一機能を有する各構成部については、図示及び説明簡略化のため、同一符号を付して示す。
【００２１】
（第１実施形態）
本発明の第１の実施形態に係る蓄電池の運用管理装置を、図１を用いて説明する。図１は、本実施形態の蓄電池の運用管理装置１００の構成を示すブロック図である。同図では、電力の流れを実線で示し、それ以外の制御信号等の流れを破線で示している。運用管理装置１００は、複数の蓄電池で構成された組電池１１０を備えており、組電池１１０から外部の負荷群１０に電力を供給する。
【００２２】
組電池１１０から電力供給される負荷群１０として、運用形態の異なる複数個（ｍ（≧２）個とする。）の負荷１１−１〜１１−ｍ（以下では、各々を単に負荷１１と記す。）を接続することができる。負荷１１の運用形態は、組電池１１０からの電力供給の形態によって、大きく２つに分類することができる。負荷１１の第１の運用形態は、組電池１１０から受電するのみ（電力を消費するだけ）の運用形態である。また、第２の運用形態は、受電して電力を消費するだけでなく、電力を発生させて組電池１１０に充電電流を供給することがある運用形態である。
【００２３】
第１の運用形態の負荷１１に接続される蓄電池に対しては、電力供給量を大きくするために満充電に近い状態にあることが要求される。また、第２の運用形態の負荷１１に接続される蓄電池に対しては、充電と放電の両方を可能とする部分充電状態（ＰＳＯＣ状態）にあることが要求される。
【００２４】
第１の運用形態の負荷１１として、例えばバックアップを要する負荷や防災用負荷がある。バックアップを要する負荷は、事故による停電や計画停電等の電力系統からの電力供給が停止されたときに、電力系統以外から速やかに電力供給される必要のある負荷である。また、防災用負荷として、自然災害時等に避難施設などで電力を必要とする照明器具や通信設備等の負荷がある。
【００２５】
第２の運用形態の負荷１１としては、例えば電力需要の変動を調整するための電力需給調整としての負荷や、回生エネルギーの発生を伴う負荷がある。電力需要の変動を調整するための電力需給調整としては、例えば３０分以内の電力変動を調整することを目的としたものや、より長周期の変動を平準化することを目的としたものがある。あるいは、自然エネルギーによる発電電力の変動を平準化するための電力需給調整がある。回生エネルギーの発生を伴う負荷としてはエレベータ等があり、動力用に外部から受電する一方、回生エネルギーから電力を発生させて外部に供給する負荷である。
【００２６】
運用管理装置１００に備えられた組電池１１０は、複数個（ｎ（≧２）個とする。）の電池列１１１−１〜１１１−ｎ（以下では、各々を単に電池列１１１と記す。）を並列に配置して構成されている。それぞれの電池列１１１は、図２に例示するように複数個のセル（蓄電池）１１２を直列に接続して構成されている。組電池１１０は、これに限定されず、電池列１１１に代えて単体の蓄電池を複数並列に配置して構成されていてもよい。蓄電池１１２として、ここでは鉛蓄電池を用いている。
【００２７】
各電池列１１１には、それぞれ測定器１２１−１〜１２１−ｎ（以下では、各々を単に測定器１２１と記す。）が設けられており、測定器１２１で取得された電池列１１１の測定データは、状態検知部１２０に出力される。各電池列１１１に設けられる測定器１２１は、１つで電池列１１１全体の状態量を測定するようにしてもよく、あるいはセル１１２毎に状態量を測定するものであってもよい。測定器１２１は、電池列１１１の電流、電圧、及び温度を測定するための電流測定手段、電圧測定手段、及び温度測定手段を有している。
【００２８】
状態検知部１２０は、測定器１２１−１〜１２１−ｎから入力した各電池列１１１−１〜１１１−ｎの電流、電圧、及び温度をもとに、各電池列１１１の状態量を算出する。状態検知部１２０で算出される電池列１１１の状態量として、充電状態（ＳＯＣ）を表す状態量であるＣＯＤ（Capacity of discharge）及びＣＯＡ（Capacity of acceptance）と、満充電容量の低下を表す劣化量がある。蓄電池のＣＯＤ、ＣＯＡ、及び劣化量を模式的に図３に示す。
【００２９】
ＣＯＤは、完全放電に達するまでに放電可能な放電可能容量を表し、ＣＯＡは、ＰＳＯＣ状態にある蓄電池が満充電状態に達するまでに充電可能な充電可能容量を表す。また、劣化量は、蓄電池の満充電容量の新品時から現在までの劣化量、すなわち新品時の満充電容量と現在の満充電容量との差を表す。
【００３０】
ＣＯＤは、蓄電池が完全放電の状態からの充放電電流を積算することで算出することができる。あるいは、蓄電池が満充電の状態からの充放電電流の積算値を現在の満充電容量から減算することで算出することができる。ＣＯＡは、現在の満充電容量からＣＯＤを減算することで算出することができる。劣化量は、新品時の満充電容量から現在の満充電容量を減算することで算出することができる。
【００３１】
ＣＯＡを算出する別の方法として、蓄電池の充電時の電圧とＣＯＡとの関係（一例を図４（ａ）の符号Ａ１で示す。）を、参照データとしてあらかじめ関数または表形式等で持たせ、充電時に電圧を測定して参照データからＣＯＡを算出するようにすることができる。同様に、ＣＯＤを算出する別の方法として、蓄電池の放電時の電圧とＣＯＤとの関係（一例を図４（ｂ）の符号Ａ２で示す。）を、別の参照データとしてあらかじめ関数または表形式等で持たせ、放電時に電圧を測定して上記の別の参照データからＣＯＤを算出するようにすることができる。
【００３２】
また、蓄電池の劣化量を算出する別の方法として、充電終了後の所定期間の開放端電圧を積算した電圧積算値と劣化量との関係（一例を図５に示す。）を、あらかじめ関数または表形式等を用いて作成した参照データを用いる方法がある。この方法では、充電が終了したのちの所定の期間に開放端電圧を測定し、該開放端電圧の測定値を積算して電圧積算値を算出する。そして、参照データを用いて測定値から算出された電圧積算値に対応する劣化量を算出する。
【００３３】
上記の劣化量の算出方法では、充電終了後の所定期間は１つに限定されず、図５に例示するような２以上の期間とすることができる。図５では、充電終了後の蓄電池内部の過渡変化が速い期間（図５（ａ）に示す期間Ｔ１）と、充電終了からある程度時間が経過して蓄電池内部の過渡変化が遅くなった期間（図５（ａ）に示す期間Ｔ２）の２つの期間を所定の期間としている。それぞれの期間で開放端電圧を測定し、それぞれの期間の開放端電圧を積算して電圧積算値を算出する。
【００３４】
期間Ｔ１、Ｔ２のそれぞれにおける電圧積算値対劣化量の関係を、図５（ｂ）の符号Ｈ１及び図５（ｃ）の符号Ｈ２で示す。このように、２以上の期間で電圧積算値対劣化量の関係を参照データとして作成し、それぞれの期間で測定した開放端電圧を用いて劣化量を算出し、これから蓄電池の劣化量をより高精度に判定させるようにすることができる。
【００３５】
運用管理装置１００は、組電池１１０への充電に用いる電源として、外部の充電用電源２０を接続している。充電用電源２０には、電力系統だけでなく、風力や太陽光等の自然エネルギーで発生された電力を用いることもできる。外部の負荷群１０及び充電用電源２０と、内蔵する組電池１１０との間の接続を開閉するために、充電部１４１、充放電部１４２−１〜１４２−ｍ（以下では、各々を単に充放電部１４２と記す。）、及び、切替スイッチ部１３０を備えている。また、切替スイッチ部１３０には、充電スイッチ１３１−１〜１３１−ｎ（以下では、各々を単に充電スイッチ１３１と記す。）と充放電スイッチ１３２−１〜１３２−ｎ（以下では、各々を単に充放電スイッチ１３２と記す。）が配置されている。
【００３６】
充電部１４１は、一端が充電用電源２０に接続され、他端が充電スイッチ１３１−１〜１３１−ｎのそれぞれの一端に接続されている。また、充電スイッチ１３１−１〜１３１−ｎは、それぞれの他端が電池列１１１−１〜１１１−ｎのそれぞれに接続されている。充電部１４１は、充電用電源２０から電池列１１１−１〜１１１−ｎへの充電電流を入／切するために、充電スイッチ１３１−１〜１３１−ｎの開閉を制御する。
【００３７】
また、充放電部１４２は、負荷１１−１〜１１−ｍのそれぞれに対応して設けられており、一端が負荷１１−１〜１１−ｍのそれぞれに接続され、他端が充放電スイッチ１３２−１〜１３２−ｎのすべてに接続されている。また、充放電スイッチ１３２−１〜１３２−ｎは、それぞれの他端が電池列１１１−１〜１１１−ｎのそれぞれに接続されている。充放電部１４２−１〜１４２−ｍは、それぞれの負荷１１−１〜１１−ｍに接続される電池列１１１−１〜１１１−ｎに対応して充放電スイッチ１３２−１〜１３２−ｎの開閉を制御する。それぞれの負荷１１−１〜１１−ｍに接続される電池列１１１−１〜１１１−ｎは、１つあるいは２以上とすることができる。
【００３８】
充電部１４１及び充放電部１４２−１〜１４２−ｍは、管理制御部１５０からの接続情報に従ってそれぞれ充電スイッチ１３１−１〜１３１−ｎ及び充放電スイッチ１３２−１〜１３２−ｍを制御する。管理制御部１５０は、電池列１１１−１〜１１１−ｎのそれぞれの状態量をもとに、充電用電源２０に接続して充電を行わせる電池列１１１を判定して充電部１４１に充電接続情報を出力する。また、負荷１１−１〜１１−ｍのそれぞれの運用形態と電池列１１１−１〜１１１−ｎのそれぞれの状態量をもとに、負荷１１−１〜１１−ｍのそれぞれに接続する電池列１１１を判定し、充放電部１４２−１〜１４２−ｍに負荷接続情報を出力する。
【００３９】
上記では、電力を受電するのみの第１の運用形態の負荷１１には、満充電に近い状態にある電池列１１１を接続し、電力を受電するだけでなく発電も行う第２の運用形態の負荷１１には、ＰＳＯＣ状態にある電池列１１１を接続する必要があることを説明した。以下では、満充電に近い状態で運用する電池列１１１の電力供給種別を、ＵＰＳ運用（第１の電力供給種別）と称し、ＰＳＯＣ状態で運用する電池列１１１の電力供給種別を、ＰＳＯＣ運用（第２の電力供給種別）と称することとする。ＵＰＳ運用では、電池列１１１のＣＯＤを第１しきい値（例えば満充電の８０％）より高くする。また、ＰＳＯＣ運用では、電池列１１１のＣＯＤを第１しきい値以下でかつ第２しきい値（例えば満充電の２０％）より高くする。
【００４０】
本実施形態の運用管理装置１００では、管理制御部１５０において、組電池１１０の各電池列１１１の状態量を算出するとともに劣化診断を行うことで、ＵＰＳ運用する電池列１１１とＰＳＯＣ運用する電池列１１１を判定している。また、電池列１１１がＰＳＯＣ運用のみで長時間運用されることのないように、ＰＳＯＣ運用とＵＰＳ運用とを所定期間毎に切り替えるようにしている。これにより、電池列１１１の劣化を抑制している。管理制御部１５０により処理される本実施形態の蓄電池の運用管理方法を、図６を用いて説明する。図６は、本実施形態の蓄電池の運用管理方法の処理の流れを示すフローチャートである。
【００４１】
まず、ステップＳ１で本実施形態の運用管理装置１００を起動すると、ステップＳ２で必要な初期化を行う。必要な初期化として、電力供給する負荷１１の個数ｍや組電池１１０に内蔵される電池列１１１の個数ｎ、後述するカウント数ＣＮＴ、等の初期化がある。つぎのステップＳ３では、負荷１１−１〜１１−ｍのそれぞれの運用形態を入力する。負荷１１毎の運用形態は、運用管理装置１００の記憶部（図示せず）等にあらかじめ保存しておき、これを読み出して第１の運用形態と第２の運用形態のいずれか一方を各負荷１１に設定するようにすることができる。
【００４２】
ステップＳ４では、外部から何らかの要求が入力されたかを判定する。外部から入力可能な要求として、運用管理装置１００の初期化要求、運用管理装置１００の停止要求、指定電池列１１１の電力供給種別の変更要求、指定電池列１１１のメンテナンス要求、等がある。ステップＳ５では、外部要求として運用管理装置１００の初期化の要求があるかを判定する。その結果、初期化要求がある場合には、ステップＳ２に戻って所定の初期化を行う。また、初期化要求がない場合には、次のステップＳ６に進む。
【００４３】
ステップＳ６では、外部要求として運用管理装置１００の停止要求があるかを判定する。その結果、停止要求がある場合には、ステップＳ７で運用管理装置１００を停止させ、負荷１１への電力供給等を停止する。また、停止要求がない場合には、次のステップＳ８に進む。
【００４４】
ステップＳ８では、外部要求として指定電池列１１１の電力供給種別の変更要求があるかを判定する。その結果、電力供給種別の変更要求がある場合には、ステップＳ９に進む。ステップＳ９では、指定された電池列１１１の電力供給種別を指定されたものに変更する。あるいは、指定された電池列１１１の電力供給種別がＵＰＳ運用のときはＰＳＯＣ運用に切り替え、ＰＳＯＣ運用のときはＵＰＳ運用に切り替えるようにしてもよい。ステップＳ９の処理が終了すると、つぎにステップＳ１０に進む。
【００４５】
一方、電力供給種別の変更要求がない場合には、ステップＳ２０に進む。ステップＳ２０では、電池列１１１のそれぞれについて、状態量をもとにＵＰＳ運用またはＰＳＯＣ運用の電力供給種別を選択する。また、充電が必要な電池列１１１に対しては電力供給種別に代えて満充電の運用を選択し、メンテナンス対象の電池列１１１に対してはメンテナンスの運用を選択する。ステップＳ２０での処理については、後ほど図７を用いて詳細に説明する。ステップＳ２０の処理が終了すると、つぎにステップＳ１０に進む。
【００４６】
ステップＳ１０では、負荷１１の運用形態と電池列１１１の電力供給種別に基づいて、負荷１１と電池列１１１との接続関係を決定して負荷接続情報を作成する。すなわち、第１の運用形態の負荷１１にはＵＰＳ運用の電池列１１１を接続し、第２の運用形態の負荷１１にはＰＳＯＣ運用の電池列１１１を接続する負荷接続情報を作成する。また１つの負荷１１に対し該当する電力供給種別を有する電池列１１１が２以上ある場合には、例えば負荷１１の消費電力量と電池列１１１のＣＯＤに基づいて当該負荷１１に接続する電池列１１１を選択させるようにすることができる。ステップＳ１０の処理が終了すると、つぎにステップＳ１１に進む。
【００４７】
上記の各ステップの処理は、主に管理制御部１５０で行われる。ステップＳ１１では、管理制御部１５０から充電部１４１及び充放電部１４２−１〜１４２−ｍに所定の接続情報が出力される。まず、ステップＳ２０で満充電の運用及びＵＰＳ運用が選択された電池列１１１に対して、充電スイッチ１３１を閉にするように充電部１４１に充電接続情報が出力される。また、負荷１１−１〜１１−ｍのそれぞれに接続される電池列１１１に対して、充放電スイッチ１３２を閉にするようにそれぞれの充放電部１４２−１〜１４２−ｍに負荷接続情報が出力される。
【００４８】
ステップＳ１２では、充電部１４１及び充放電部１４２−１〜１４２−ｍにおいて、それぞれ充電スイッチ１３１及び充放電スイッチ１３２の開閉の切り替えを行う。すなわち、充電部１４１は、充電接続情報で満充電が選択されている電池列１１１の充電スイッチ１３１を閉にし、それ以外の充電スイッチ１３１を開にする。また、それぞれの充放電部１４２は、負荷接続情報で接続先に選択された電池列１１１の充放電スイッチ１３２を閉にし、それ以外の充放電スイッチ１３２を開にする。
【００４９】
ステップＳ１２の処理により、ステップＳ２０で満充電の運用が選択された電池列１１１は、充電用電源２０に接続されて充電が行われる。また、第１の運用形態の負荷１１に接続されたＵＰＳ運用の電池列１１１は、充電スイッチ１３１も閉にされて常に満充電に充電される。さらに、第２の運用形態の負荷１１に接続されたＰＳＯＣ運用の電池列１１１は、接続先の負荷１１に電力を供給するとともに、該負荷１１で発電された電力を受電して充電する。なお、メンテナンス運用が選択された電池列１１１に対しては、充電スイッチ１３１及びすべての充放電スイッチ１３２が開にされる。
【００５０】
次に、ステップＳ２０における電池列１１１毎の電力供給種別の選択方法を、図７を用いて説明する。図７は、電池列１１１毎に電力供給種別を選択する処理の流れを示すフローチャートである。ここでは、ｎ個ある電池列１１１の電力供給種別を順次選択していく。まず初めに、電池列１１１を順次選択するためのカウントｉをステップＳ２１で０に設定しておく。つぎのステップＳ２２でカウントｉに１ずつ加算していくことで、電池列１１１を順次選択していく。
【００５１】
ステップＳ２３では、ステップＳ４で入力した外部要求として、ｉ番目の電池列１１１に対しメンテナンス要求があるかを判定する。メンテナンス対象となっている場合にはステップＳ２４に進み、メンテナンス対象となっていない場合はステップＳ２５に進む。ステップＳ２４では、ｉ番目の電池列１１１をメンテナンス対象に設定し、その後ステップＳ３１に進む。
【００５２】
一方、ステップＳ２５では、状態検知部１２０から電池列１１１の状態量であるＣＯＡ（充電中の電池列１１１）またはＣＯＤ（放電中の電池列１１１）、及び劣化量を入力する。また、状態検知部１２０で異常が検知されたか否かの情報を入力する。ステップＳ２６では、ステップＳ２５において状態検知部１２０から異常検知情報が入力されたかを判定し、異常が検知されたときにはステップＳ２４に進んでメンテナンス対象とする。ステップＳ２６で異常が検知されなかったと判定されると、つぎにステップＳ２７に進む。
【００５３】
つぎのステップＳ２７、Ｓ２８では、電池列１１１の劣化判定を行う。まず、ステップＳ２７において、劣化量が第３しきい値より大きいか否かを判定することで、回復不可の劣化か否かを判定する。その結果、回復不可の劣化であると判定されると、ステップＳ２４に進んでメンテナンス対象とする。また、回復不可の劣化でないと判定された場合には、つぎにステップＳ２８に進む。
【００５４】
ステップＳ２８では、劣化量を第３しきい値より小さい第４しきい値と比較することで、回復可能な劣化があるか否かを判定する。その結果、第４しきい値より大きい回復可能な劣化があると判定されると、ステップＳ２９に進んで運用方式として満充電を選択する。また、劣化（回復可能な劣化）がないと判定されると、つぎにステップＳ３０に進む。
【００５５】
ステップＳ３０では、電池列１１１の運用方式としてＵＰＳまたはＰＳＯＣを選択する。すなわち、電池列１１１のＣＯＤが第１しきい値より高いときはＵＰＳの運用を選択し、ＣＯＤが第１しきい値以下でかつ第２しきい値より高いときはＰＳＯＣの運用を選択する。次のステップＳ４０では、電池列１１１が同じ運用方式で所定期間以上運用されているか否かを判定し、所定期間以上同じ運用方式が継続されている場合には、運用方式を切り替える処理を行う。ステップＳ４０の処理については、図８を用いて詳細に説明する。
【００５６】
ステップＳ４０の処理が終了すると、ステップＳ３１においてカウントｉが電池列１１１の個数ｎより小さいか否かを判定する。カウントｉが個数ｎより小さいときは、ステップＳ２２に戻ってカウントｉに１を加算し、次の電池列１１１の処理を行う。一方、カウントｉが個数ｎに達しているときは、すべての電池列１１１の処理が終了したと判定してステップＳ１０に進む。
【００５７】
つぎに、上記のステップＳ４０における処理について、図８を用いて詳細に説明する。まずステップＳ４１において、当該の電池列１１１の前回の運用方式とカウントＣＮＴを入力する。前回の運用方式は、ステップＳ３０、Ｓ２９、及びＳ２４のいずれかで運用方式が選択されるときに直前（前回）の運用方式を所定の記憶部（図示せず）に保存しておくものとする。ステップＳ４１では、記憶部に保存されている前回の運用方式を読み込んで入力する。
【００５８】
ステップＳ４２では、選択された運用方式と前回の運用方式とを比較して運用方式が変更されたかを判定する。運用方式が変更されたと判定すると、ステップＳ４３に進んでカウントＣＮＴを０にクリアし、これを保存したのちステップＳ３１に進む。一方、ステップＳ４２で運用方式が変更されていないと判定すると、ステップＳ４４に進んでカウントＣＮＴに１を加算し、これを保存したのちステップＳ４５に進む。なお、電池列１１１毎のＣＮＴは、ステップＳ２の初期化ですべて０に初期化されている。
【００５９】
ステップＳ４５では、カウントＣＮＴが所定のしきい値ＭＸＣより小さいかを判定し、ＣＮＴがＭＸＣより小さいと判定するとステップＳ３１に進む。一方、ステップＳ４５でＣＮＴがＭＸＣに達したと判定するとステップＳ４６に進む。ＣＮＴがＭＸＣに達するのは、当該の電池列１１１が所定時間継続して同じ方式で運用されたときである。
【００６０】
ステップＳ４６では、選択された運用方式を別の運用方式に変更する。すなわち、ＵＰＳ運用が所定時間継続されていると判定されたときは、運用方式をＰＳＯＣ運用に変更する。また、ＰＳＯＣ運用が所定時間継続されていると判定されたときは、運用方式をＵＰＳ運用に変更する。その後、ステップＳ４７でカウントＣＮＴを０にクリアして保存し、ステップＳ３１に進む。
【００６１】
上記説明の本実施形態の蓄電池の運用管理方法により、蓄電池１１１の運用方式を決定した一例を図９に示す。図９は、負荷１１の個数ｍを４とし、電池列１１１の個数ｎを３としたときの本実施形態の運用管理装置１００の構成例を示している。負荷１１の運用形態として、第１運用形態のものについては「第１」、第２運用形態のものについては「第２」、とそれぞれ図中に記載している。また、本実施形態の運用管理方法により決定された電池列１１１の運用方式を、図中に「ＵＰＳ」または「ＰＳＯＣ」で示している。図９では、充電部１４１と充電スイッチ１３１との間、及び充放電部１４２と充放電スイッチ１３２との間において、実線が接続されている状態を示し、点線が接続されていない状態を示している。
【００６２】
第１の運用形態の負荷１１−１には、ＵＰＳ運用の電池列１１１−１が接続され、第２の運用形態の負荷１１−２〜１１−４には、ＰＳＯＣ運用の電池列１１１−２、１１１−３が接続されている。ここで、負荷１１−２と１１−３が電池列１１１−２に接続され、負荷１１−４が電池列１１１−３に接続されている。負荷１１−２〜１１−４と電池列１１１−２、１１１−３との接続関係は、負荷１１−２〜１１−４の消費電力量や電池列１１１−２、１１１−３のＣＯＤ等によって判定される。
【００６３】
本実施形態の蓄電池の運用管理方法及び運用管理装置によれば、複数の蓄電池（電池列１１１）からなる組電池を用い、負荷の運用形態に好適な蓄電池を接続して電力供給することができる。また、負荷への給電を停止させることなく蓄電池の状態管理等を行って劣化を抑制することが可能となる。さらに、蓄電池の電力供給種別を所定期間内に切り替えるようにすることで、蓄電池の劣化を抑制することができる。
【００６４】
なお、本実施形態の蓄電池の運用管理方法及び運用管理装置では、充電部１４１から２以上の電池列１１１を同時に充電する場合や、１つの負荷１１に２以上の電池列１１１から放電する場合がある。この場合、充電部１４１または１つの負荷１１と２以上の電池列１１１との間で充放電が適切に行われるには、２以上の電池列１１１のＣＯＤがバランスしている必要がある。ここでは、説明簡単のために、２つの蓄電池（Ｂ１、Ｂ２とする。）が、電源（Ｓとする。）に接続されて充電される一例を図１０（ａ）に示し、１つの負荷（Ｌとする。）に接続されて放電される一例を図１０（ｂ）に示す。
【００６５】
図１０（ａ）に示す例では、蓄電池Ｂ１のＣＯＤを１００％とし、蓄電池Ｂ２のＣＯＤを５０％としている。このようにＣＯＤの大きく異なる蓄電池Ｂ１、Ｂ２を電源Ｓに同時に接続して充電しようとすると、蓄電池Ｂ１のＣＯＤと蓄電池Ｂ２のＣＯＤとがバランスするまで、蓄電池Ｂ１から蓄電池Ｂ２への充電が行われる。すなわち、蓄電池Ｂ１が電源Ｓから受電して充電されるのではなく、蓄電池Ｂ１が電源Ｓとともに蓄電池Ｂ２の充電用電源として動作してしまう。その結果、蓄電池Ｂ１から電蓄電池Ｂ２に充電電流が流れてしまう。
【００６６】
また、図１０（ｂ）に示す例でも、蓄電池Ｂ１のＣＯＤを１００％とし、蓄電池Ｂ２のＣＯＤを５０％としている。このようにＣＯＤの大きく異なる蓄電池Ｂ１、Ｂ２を１つの負荷Ｌに同時に接続して放電させようとすると、蓄電池Ｂ１のＣＯＤと蓄電池Ｂ２のＣＯＤとがバランスするまで、蓄電池Ｂ１から蓄電池Ｂ２への放電が行われる。すなわち、蓄電池Ｂ１が、負荷Ｌだけでなく蓄電池Ｂ２も負荷とみなして放電する。その結果、蓄電池Ｂ１から蓄電池Ｂ２に放電電流が流れてしまう。
【００６７】
そこで、本実施形態の蓄電池の運用管理方法及び運用管理装置１００では、充電部１４１または１つの負荷１１に２以上の電池列１１１を同時に接続する場合には、ＣＯＤがバランスしている電池列１１１を選択するようにする。また、充電部１４１に接続される２以上の電池列１１１のＣＯＤがバランスしていないときは、これを同時に接続しないようにする。
【００６８】
（第２実施形態）
本発明の第２の実施形態に係る蓄電池の運用管理方法及び運用管理装置を、以下に説明する。管理制御部１５０において、すべての負荷１１に対し電力供給する電池列１１１が割り当てられたとき、どの負荷１１にも接続されない電池列１１１（以下では、未接続電池列１１１と称する。）が存在することがある。第２の実施形態の運用管理方法及び運用管理装置では、未接続電池列１１１があるとき、これを充放電中の電池列１１１と切り替えることで、充放電中の電池列１１１の劣化量を算出して劣化診断を行うことが可能に構成されている。また、劣化診断対象の電池列１１１を満充電にすることにより、劣化を回復させる効果が得られるとともに、電流積算値から算出されるＣＯＤ、ＣＯＡを、それぞれ１００％、０％にリセットすることが可能となる。
【００６９】
第１実施形態の運用管理方法及び運用管理装置１００においても電池列１１１の劣化判定を行っているが、この劣化判定に用いられる劣化量は、例えば充放電電流を積算して現在の満充電容量を求め、これを新品時の満充電容量から減算して求めている。これに対し本実施形態では、図５を用いて説明した充電終了後の開放端電圧積算値と劣化量との関係を用いて、劣化量を高精度に算出している。以下では、充電終了後の開放端電圧積算値と劣化量との関係を用いて行う劣化診断を、精細劣化診断と称する。
【００７０】
未接続電池列１１１があるときの精細劣化診断方法を、図１１を用いて説明する。図１１は、簡単のため負荷１１の個数を２とし、電池列１１１の個数を３とした本実施形態の運用管理装置２００の構成例を示すブロック図である。本実施形態の運用管理装置２００では、管理制御部２５０における処理が第１実施形態の管理制御部１５０と異なっている。
【００７１】
図１１に示す例では、負荷１１-１を第１の運用形態、負荷１１-２を第２の運用形態の負荷とし、電池列１１１−１がＵＰＳ運用で運用されて負荷１１-１に接続され、電池列１１１−３がＰＳＯＣ運用で運用されて負荷１１-２に接続されている。そして、電池列１１１-２がいずれの負荷１１にも接続されない状態となっている。また、電池列１１１−２は、それまでＰＳＯＣ運用されていたためＣＯＤは１００％に達していないものとする。
【００７２】
本実施形態の運用管理方法を、図１２に示すフローチャートを用いて説明する。図１２に示す処理は電池列１１１毎に処理されるものであり、例えば図７に示す電池列１１１毎の処理の最後（ステップＳ３１の直前）に行うのがよい。図１２に示すフローチャートにおいて、まずステップＳ６１で当該の電池列１１１が未接続電池列であるか否かが判定され、未接続電池列でないときは処理を行わずに終了する（ステップＳ３１に進む）。未接続電池列であると判定された場合には、ステップＳ６２に進む。図１１に示す構成例では、電池列１１１−２の処理のときに未接続電池列と判定され、ステップＳ６２に進む。
【００７３】
ステップＳ６２では、切替対象が設定されているか否かが判定される。切替対象は、ステップＳ２の初期化、及び１つの電池列１１１の精細劣化診断が終了したときに未設定にされるものとする。ここでは、切替対象が未設定となっていることから、ステップＳ６３に進む。
【００７４】
ステップＳ６３では、劣化診断を行っていない電池列１１１があるかが判定される。各電池列１１１は、精細劣化診断が行われるとその情報を保存しておくものとする。この診断情報は、例えば所定の時間が経過すると、未診断に変更するようにするのがよい。これにより、最後に精細劣化診断が行われてから所定時間経過した電池列１１１があるときに、該電池列１１１に精細劣化診断が再度行われることになる。ここでは、すべての電池列１１１が未診断であるとする。ステップＳ６３で未診断の電池列１１１があると判定されたときはステップＳ６４に進む一方、未診断の電池列１１１がないと判定されたときは処理を終了する（ステップＳ３１に進む）。
【００７５】
ステップＳ６４では、当該の未接続電池列１１１が切替対象に設定される。図１１に示す構成例では、電池列１１１−２が切替対象に設定される。次のステップＳ６５では、診断対象の電池列１１１を選択する。診断対象の電池列１１１として、現在充電が行われているＵＰＳ運用の電池列１１１を優先的に選択するのがよい。ＵＰＳ運用の電池列１１１を診断対象としたときは、これから充電用電源２０及び負荷１１を切り離した直後から劣化診断の処理を開始することができる。診断対象の電池列１１１が選択されると、選択された電池列１１１の現在の電力供給種別を目標種別に設定する。図１１に示す構成例では、診断対象の電池列１１１として電池列１１１−１が選択され、目標種別としてＵＰＳ運用が設定される。
【００７６】
次のステップＳ６６では、切替対象の電池列１１１を目標種別に適用できるようにするために、充電または放電の運用を選択する。ここで選択された充電または放電の運用は、ステップＳ１１の充電部１４１及び充放電部１４２の制御において、切替対象の電池列１１１が充電または放電されるように処理される。図１１に示す構成例では、目標種別がＵＰＳ運用であることから、充電の運用が選択されて処理を終了する（ステップＳ３１に進む）。そして、ステップＳ１１、Ｓ１２の処理により、切替対象の電池列１１１−２の充電が行われる。
【００７７】
つぎの周期の処理（図６に示す一定周期毎の処理）では、ステップＳ６２の判定でステップＳ６７に進み、ステップＳ６７で未接続電池列１１１が切替対象に一致するか判定される。そして、切替対象に一致すると判定されると、ステップＳ６８で目標種別の条件が達成されているかが判定される。すなわち、目標種別がＵＰＳ運用のときは、切替対象の電池列１１１のＣＯＤが第１しきい値を超えたときに目標種別の条件が達成されたと判定される。また、目標種別がＰＳＯＣ運用のときは、切替対象の電池列１１１のＣＯＤが第１しきい値以下でかつ第２しきい値より高いときに目標種別の条件が達成されたと判定される。図１１に示す構成例では、切替対象の電池列１１１−２のＣＯＤが第１しきい値を超えたときに目標種別の条件が達成されたと判定される。
【００７８】
ステップＳ６８で目標種別の条件が達成されたと判定されたときはステップＳ６９に進む一方、目標種別の条件が達成されていないと判定されたときは処理を終了する（ステップＳ３１に進む）。ステップＳ６９では、切替対象と診断対象の電池列１１１の運用を切り替える（ステップＳ２０で選択された電力供給種別を変更する）。すなわち、切替対象の電池列１１１の運用を診断対象の電池列１１１と同じ運用（目標種別）に切り替え、診断対象の電池列１１１を未接続の運用に切り替える。図１１に示す構成例では、電池列１１１−２がＵＰＳ運用に切り替えられ、電池列１１１−１が未接続に切り替えられる。ステップＳ６９の処理を終了すると、処理を終了する（ステップＳ３１に進む）。
【００７９】
診断対象の電池列１１１が未接続に切り替えられたのちの周期では、ステップＳ６１からステップＳ６２、ステップＳ６７へと進む。ステップＳ６７では、未接続電池列１１１が診断対象の電池列１１１に切り替えられていることから、切替対象でないと判定されてステップＳ７０に進む。ステップＳ７０では、未接続電池列１１１が診断対象に一致するかを判定し、診断対象に一致すると判定されたときはステップＳ７１に進む一方、一致しないと判定されたときは処理を終了する（ステップＳ３１に進む）。図１１に示す構成例では、診断対象の電池列１１１−１のときにステップＳ７１に進む。
【００８０】
ステップＳ７１では、開放端電圧積算値が取得できたか、すなわち所定期間の開放端電圧の測定値から精細劣化診断に用いる開放端電圧積算値を算出する処理が終了したか、を判定する。開放端電圧積算値を算出する処理は、ステップＳ６９で診断対象の電池列１１１が未接続に切り替えられ、ステップＳ１１、Ｓ１２の処理で切替が実行された時点を起点として開始される。ステップＳ７１で開放端電圧積算値が取得できたと判定されるとステップＳ７２に進む一方、取得できていない（開放端電圧積算値を算出する処理が終了していない）と判定されたときは処理を終了する（ステップＳ３１に進む）。
【００８１】
ステップＳ７２では、精細劣化診断の処理として、事前に作成された電圧積算値と劣化量との関係を用いて、開放端電圧積算値から劣化量を求める。また、これを用いて現在の満充電容量、ＣＯＤ等を算出する。これにより、充放電電流を積算して更新しているＣＯＡやＣＯＤを、より高精度の値にリセットすることができる。
【００８２】
ステップＳ７２の処理が終了すると、つぎにステップＳ７３に進み、診断対象の電池列１１１に対し精細劣化診断を行ったことを情報として保存する。図１１に示す構成例では、電池列１１１−１に対し、精細劣化診断を行ったとの情報が保存される。つぎのステップＳ７４では、切替対象を未設定にする。これにより、つぎの周期では、再びステップＳ６３以降の処理が開始される。
【００８３】
図１１に示す構成例では、次の周期のステップＳ６１において、精細劣化診断が終了した電池列１１１−１のときに未接続電池列であると判定される。そして、ステップＳ６３で未診断電池列（電池列１１１−２、１１１−３）があると判定され、ステップＳ６４で電池列１１１−１が切替対象に設定される。さらに、ステップＳ６５では診断対象として電池列１１１−２または電池列１１１―３が選択される。以下では、ＰＳＯＣ運用の電池列１１１−３が診断対象に選択された場合について説明する。ステップＳ６５で、目標種別にＰＳＯＣ運用が設定される。さらに、ステップＳ６６では放電の運用が選択される。
【００８４】
つぎの周期以降のステップＳ６７では、電池列１１１−１のときに切替対象と判定されてステップＳ６８に進む。ステップＳ６８で、目標種別（ＰＳＯＣ運用）の条件である電池列１１１−１のＣＯＤが第１しきい値以下でかつ第２しきい値より高いと判定されると、ステップＳ６９に進み、切替対象の電池列１１１−１がＰＳＯＣ運用に切り替えられ、診断対象の電池列１１１−３が未接続に切り替えられる。これ以降のステップＳ６７では、未接続の電池列１１１−３が切替対象でないと判定されてステップＳ７０に進む。ステップＳ７０以降の処理により、電池列１１１−３の精細劣化診断が行われる。
【００８５】
本実施形態によれば、未接続の電池列１１１があるときは、上記のようにして電池列１１１の精細劣化診断が行われる。本実施形態では、電池列１１１のＵＰＳ運用及びＰＳＯＣ運用に加えて、精細劣化診断を並行して行うことが可能となる。また、劣化診断対象の電池列１１１を満充電にすることにより、劣化を回復させる効果が得られるとともに、電流積算値から算出されるＣＯＤ、ＣＯＡを、それぞれ１００％、０％にリセットすることが可能となる。
【００８６】
なお、本実施の形態における記述は、本発明に係る蓄電池の運用管理方法及び運用管理装置の一例を示すものであり、これに限定されるものではない。本実施の形態における蓄電池の運用管理方法及び運用管理装置の細部構成及び詳細な動作等に関しては、本発明の趣旨を逸脱しない範囲で適宜変更可能である。
【符号の説明】
【００８７】
１０      負荷群
１１−１〜ｍ    負荷
２０      充電用電源
１００、２００    蓄電池管理システム
１１０    組電池
１１１−１〜ｎ    電池列
１１２    蓄電池
１２０    状態検知部
１２１−１〜ｎ    測定器
１３０    切替スイッチ部
１３１−１〜ｎ    充電スイッチ
１３２−１〜ｎ    充放電スイッチ
１４１    充電部
１４２−１〜ｍ    充放電部
１５０、２５０    管理制御部
【図１】
2013239328.tif 000003
【図２】
2013239328.tif 000004
【図３】
2013239328.tif 000005
【図４】
2013239328.tif 000006
【図５】
2013239328.tif 000007
【図６】
2013239328.tif 000008
【図７】
2013239328.tif 000009
【図８】
2013239328.tif 000010
【図９】
2013239328.tif 000011
【図１０】
2013239328.tif 000012
【図１１】
2013239328.tif 000013
【図１２】
2013239328.tif 000014